(57)【要約】【課題】  前軸と後軸とを別体の継手部材を介してがたつきなく接続することができる上、その接続箇所に高精度な寸法を要することのない筆記具の軸筒構造を提供することにある。【解決手段】  前軸１１と後軸１２とを継手部材１３を介して軸方向に接続するようにした筆記具の軸筒構造において、継手部材１３を前軸１１と後軸１２との内の一方の部材に対し微小移動可能な状態で嵌合し、その後に、前軸１１と後軸１２との内の他方の部材を、継手部材１３に螺合するとともに前記一方の部材に当接させることで、前記微小移動を不能にした。【選択図】図１
2010173243.tif 000002
【特許請求の範囲】
【請求項１】
前軸と後軸とを継手部材を介して軸方向に接続するようにした筆記具の軸筒構造において、
前記継手部材を前軸と後軸との内の一方の部材に対し微小移動可能な状態で嵌合し、その後に、前軸と後軸との内の他方の部材を、前記継手部材に螺合するとともに前記一方の部材に当接させることで、前記微小移動を不能にしたことを特徴とする筆記具の軸筒構造。
【請求項２】
前記継手部材を前軸と後軸との内の一方の部材に対し軸方向へ微小移動可能な状態で嵌合したことを特徴とする請求項１記載の筆記具の軸筒構造。
【請求項３】
前記継手部材を前軸と後軸との内の一方の部材に対し周方向へ微小移動可能な状態で嵌合したことを特徴とする請求項１又は２記載の筆記具の軸筒構造。
【請求項４】
前軸と後軸とを、前記継手部材に環状に装着されるリング部材を介在して当接させるようにしたことを特徴とする請求項１乃至３何れか１項記載の筆記具の軸筒構造。
【請求項５】
前記一方の部材を後軸とし、前記他方の部材を前軸とし、前軸の内周面に前記継手部材に螺合させるための雌螺子部を形成するとともに、前記継手部材の外周面には前記雌螺子部に螺合させるための雄螺子部を形成した筆記具の軸筒構造であって、
前軸の内周面における前記雌螺子部よりも前方側の部分には、前記雌螺子部と前記雄螺子部との締め付けにより前方へ移動した場合の前記継手部材の前端部を摺接させるように、前方へ向かって縮径する傾斜面が設けられていることを特徴とする請求項１乃至４何れか１項記載の筆記具の軸筒構造。
【発明の詳細な説明】
【技術分野】
【０００１】
本発明は、ボールペンやシャープペンシル、サインペン等の筆記具の軸筒構造に関し、特に前軸と後軸とを継手部材を介して接続するようにした筆記具の軸筒構造に関するものである。
【背景技術】
【０００２】
従来、この種の軸筒構造には、特許文献１に示されるもののように、先軸（１”）の後方側に中軸（１’）を螺合接続し、該中軸（１’）の更に後方側に後軸（２）を嵌合接続したものがある。
この従来技術のように先軸（１”）と後軸（２）とを、その間の中軸（１’）によって接続するようにした軸筒構造では、中軸（１’）内の中駒（６）によって複数のリフィール（筆記体４）をそれぞれ軸方向へガイドしたり、前記中駒（６）によって前記リフィールを後方へ付勢するための弾発部材（５）を受けたり等、前記中軸（１’）に付加機能を有しているのが一般的である。
【０００３】
しかしながら、前記従来技術によれば、複数の筒状部材を軸方向へ連結した構造であるため、軸方向や周方向にがたつきを生じる場合がある。より具体的に説明すれば、例えば、前記中軸（１’）と前記後軸（２）との間の嵌合箇所において、その一方の部材が他方に対し軸方向や周方向へがたつくおそれがある。そのため、前記従来技術では、前記がたつきを防止するために、前記嵌合箇所の寸法を高精度に維持する必要が生じ、このことが生産性の低下を招く要因になっていた。
【先行技術文献】
【特許文献】
【０００４】
【特許文献１】特開２００７−２９６６９９号公報
【発明の概要】
【発明が解決しようとする課題】
【０００５】
本発明は上記従来事情に鑑みてなされたものであり、その課題とする処は、前軸と後軸とを別体の継手部材を介してがたつきなく接続することができる上、その接続箇所に高精度な寸法を要することのない筆記具の軸筒構造を提供することにある。
【課題を解決するための手段】
【０００６】
上記課題を解決するための技術的手段は、前軸と後軸とを継手部材を介して軸方向に接続するようにした筆記具の軸筒構造において、前記継手部材を前軸と後軸との内の一方の部材に対し微小移動可能な状態で嵌合し、その後に、前軸と後軸との内の他方の部材を、前記継手部材に螺合するとともに前記一方の部材に当接させることで、前記微小移動を不能にしたことを特徴とする。
この構成によれば、先ず、継手部材が前軸と後軸との内の一方の部材に対し微小移動可能な状態で嵌合される。その後に、前軸と後軸との内の他方の部材が、継手部材に螺合するとともに一方の部材に当接する。この際の当接力により、継手部材が前記一方の部材に対し微小移動不能な状態になる。
【０００７】
更なる技術的手段では、前記継手部材を前軸と後軸との内の一方の部材に対し軸方向へ微小移動可能な状態で嵌合したことを特徴とする。
この構成によれば、継手部材が前軸と後軸との内の一方の部材に対し軸方向へ微小移動可能な状態で嵌合される。その後に、前軸と後軸との内の他方の部材が、継手部材に螺合するとともに一方の部材に当接することで、継手部材の前記軸方向への微小移動が不能な状態になる。
【０００８】
更なる技術的手段では、前記継手部材を前軸と後軸との内の一方の部材に対し周方向へ微小移動可能な状態で嵌合したことを特徴とする。
この構成によれば、継手部材が前軸と後軸との内の一方の部材に対し周方向へ微小移動可能な状態で嵌合される。その後に、前軸と後軸との内の他方の部材が、継手部材に螺合するとともに一方の部材に当接することで、継手部材の前記周方向への微小移動が不能な状態になる。
【０００９】
更なる技術的手段では、前軸と後軸とを、前記継手部材に環状に装着されるリング部材を介在して当接させるようにしたことを特徴とする。
この構成によれば、前軸と後軸との内の他方の部材を継手部材に螺合した際に、他方の部材と一方の部材との間にリング部材が座金のように挟まれる。したがって、螺合箇所の締付け力をリング部材によって効果的に高めることができる。
【００１０】
更なる技術的手段では、前記一方の部材を後軸とし、前記他方の部材を前軸とし、前軸の内周面に前記継手部材に螺合させるための雌螺子部を形成するとともに、前記継手部材の外周面には前記雌螺子部に螺合させるための雄螺子部を形成した筆記具の軸筒構造であって、前軸の内周面における前記雌螺子部よりも前方側の部分には、前記雌螺子部と前記雄螺子部との締め付けにより前方へ移動した場合の前記継手部材の前端部を摺接させるように、前方へ向かって縮径する傾斜面が設けられていることを特徴とする。
この構成によれば、万が一、雌螺子部と雄螺子部とが強引に締め付けられた場合には、継手部材の前端部が前軸内周面の傾斜面に摺接するため、前軸が遠心方向へ弾性変形する等して、雌螺子部と雄螺子部との螺合状態が外される（雌螺子部に相対し雄螺子部が空回りする）。そのため、前記強引な締め付けにより、継手部材と後軸との嵌合が外されてしまったり、後軸が破損してしまったり等するのを防ぐことができる。
【発明の効果】
【００１１】
本発明は、以上説明したように構成されているので、以下に記載されるような作用効果を奏する。
継手部材と、前軸と後軸との内の一方の部材とを、組立途中では微小移動可能な状態で嵌合する構造であるため、その嵌合箇所の寸法精度を比較的低くすることができる。
しかも、前軸と後軸との内の他方の部材を、最終的には継手部材に螺合するとともに一方の部材に当接させるため、前記嵌合箇所を、前記微小移動によるがたつきのない状態にすることができる。
よって、前軸と後軸とを別体の継手部材を介してがたつきなく接続することができる上、前軸と後軸の接続箇所に高精度な寸法を要することがない。
【図面の簡単な説明】
【００１２】
【図１】本発明に係る筆記具の軸筒構造を示す縦断面図である。
【図２】同軸筒構造に用いられる継手部材の一例を示し、（ａ）は側面図であり、（ｂ）は後端面図である。
【図３】同軸筒構造の組立手順を説明するための要部半断面図であり、（ａ）は係合部１２ａが被係合部１３ｃに乗り越え嵌合する前の状態を示し、（ｂ）は係合部１２ａが被係合部１３ｃに乗り越え嵌合した状態を示す。
【図４】同軸筒構造の作用を説明するための要部半断面図であり、（ａ）は係合部が環状凹部の後端側に位置した状態を示し、（ｂ）は係合部が環状凹部内を前方へ移動した状態を示す。
【図５】同軸筒構造の組立手順を説明するための要部半断面図であり、（ａ）はリング部材を組み付けた状態を示し、（ｂ）は前軸を螺合した状態を示す。
【図６】図１における(VI)-(VI)線断面図である。
【発明を実施するための形態】
【００１３】
以下、本発明の実施の形態を図面に基づいて説明する。
この筆記具Ａは、軸筒１０と、該軸筒１０の外周部に露出された状態で進退可能なスライド操作体２０と、前記スライド操作体２０に押圧されて軸筒１０内で前進可能な押子３０と、該押子３０に接続されたリフィール４０と、押子３０及びリフィール４０を後方へ付勢する付勢部材５０とを備え、スライド操作体２０の前進に伴って押子３０及びリフィール４０を前進させ、軸筒１０の前端部からリフィール４０前端の筆記部４１を突出させるようにした出没式筆記具である。
【００１４】
なお、本明細書中、「前方」とは、軸筒１０の軸方向において筆記部４１が突出する方向（図１によれば下方）を意味し、「後方」とは、前記「前方」に対する逆方向を意味するものとする。
また、本明細書中、「軸筒求心方向」とは軸筒１０の中心に接近する方向（換言すれば縮径方向）を意味し、「軸筒遠心方向」とは軸筒１０の中心から離れる方向（換言すれば拡径方向）を意味する。
【００１５】
また、スライド操作体２０、押子３０、リフィール４０、付勢部材５０は、周方向に間隔を置いて複数（例えば３つ）設けられるが、図１によれば単数のみ図示し他のものを省略することで、当該筆記具Ａの特徴的な内部構造を明瞭に表現している。
【００１６】
軸筒１０は、前軸１１と後軸１２とを、継手部材１３及びリング部材１５を介して軸方向に接続してなる。
【００１７】
前軸１１は、合成樹脂材料から成形され、前端側に先細筒状の先口部１１ａを有するとともに、後端側内周面に、後述する継手部材１３を螺合接続するための雌螺子部１１ｂを有する。
雌螺子部１１ｂのねじ形状は、本実施の形態の好ましい一例によれば断面台形状のねじ（所謂台形ねじ）である。
前軸１１内周面における雌螺子部１１ｂよりも前方側には、前方へ向かって徐々に縮径する環状の傾斜面１１ｃ（図５（ｂ）参照）が設けられている。
【００１８】
前記傾斜面１１ｃは、雌螺子部１１ｂの前端外周縁１３ｆよりも前方側に所定間隔を置いて配置されている。
【００１９】
また、後軸１２は、前軸１１と同様の合成樹脂材料から略筒状に形成される。この後軸１２の前端側内周面には、断面凸湾曲状の係合部１２ａが設けられている。
この係合部１２ａは、後軸１２の全周にわたって軸筒求心方向へ突出しており、後述する継手部材１３の被係合部１３ｃに対し乗り越え嵌合する。
【００２０】
また、後軸１２の前端側内周面における係合部１２ａよりも後方側には、継手部材１３の外周面の凹部１３ｅに対し、周方向へ微小移動可能に嵌り合う凸部１２ｄが設けられている（図３参照）。
この凸部１２ｄは、後軸１２内周面から軸筒求心方向へ突出するとともに軸筒軸方向へわたる突条であり、継手部材１３に対しその後方側から後軸１２を被せる際に、継手部材１３外周面の後端側の凹部１３ｅに対し後方から差し込まれる。
【００２１】
また、後軸１２の前端側内周面における凸部１２ｄよりも更に後方側には、後方へ微小移動した際の継手部材１３を受けるように、段部１２ｅが設けられる。
この段部１２ｅは、図示例によれば、後軸１２内周面に形成された突起の前端部であり、軸筒周方向に間隔を置いて複数設けられている。
【００２２】
後軸１２の後端側の周壁には、軸筒径方向に貫通するとともにスライド操作体２０及び押子３０の進退を案内する案内孔１２ｂが形成されている（図１参照）。また、後軸１２の後端開口部は、尾栓１４によって閉鎖されている。
【００２３】
案内孔１２ｂは、スライド操作体２０及び押子３０を進退可能に係合させるように形成された貫通孔であり、図示例によれば軸方向へわたる長尺状に形成されている。
【００２４】
この案内孔１２ｂ内には、押子３０の進退路を間に挟むようにして、軸筒１０の周壁に二つの掛止部１２ｆが設けられる。
各掛止部１２ｆは、押子３０が前進して軸筒求心方向へ沈み込んだ際、この押子３０の後端部を係止させるように、軸筒１０の周壁に段部状に形成されている。
【００２５】
また、継手部材１３は、前軸１１の後端側内部から後軸１２の前端側内部にわたる略有底筒状の部材であり、図２に示すように、その前端側外周面に形成された雄螺子部１３ａと、該雄螺子部１３ａよりも後端側に形成されたリング係止部１３ｂと、該リング係止部１３ｂよりも後端側に形成された被係合部１３ｃと、該被係合部１３ｃよりも後端側において軸心に対し交差するように設けられた後端壁部１３ｄと、該後端壁部１３ｄの外周部にて後軸１２内周面の凸部１２ｄに嵌り合う凹部１３ｅとを有する。
【００２６】
雄螺子部１３ａは、前軸１１の後端側内周面の雌螺子部１１ｂと螺合する断面台形状のねじ（所謂台形ねじ）である。
【００２７】
リング係止部１３ｂは、後述するリング部材１５を嵌め合わせるための環状の凹部である。
なお、図示例によれば、凹状のリング係止部１３ｂに対しリング部材１５を嵌め合わせる構成としているが、他例としては、リング係止部１３ｂを凸状に形成するとともにリング部材１５の内周面を凹状に形成して、これらを嵌め合わせるようにしてもよい。
【００２８】
被係合部１３ｃは、後軸１２内の係合部１２ａを乗り越え嵌合させるための環状凸部１３ｃ１と、該環状凸部１３ｃ１を乗り越えた後の係合部１２ａを嵌め合わせるための環状凹部１３ｃ２とから構成される（図３参照）。
【００２９】
環状凸部１３ｃ１は、前方へ向かって徐々に拡径する環状の傾斜面１３ｃ１１と、該傾斜面１３ｃ１１よりも前方側で略円柱外周面状に突出する環状の平坦面１３ｃ１２とからなる。
この構成によれば、後軸１２を継手部材１３に嵌合する際、環状の係合部１２ａは、傾斜面１３ｃ１１に沿って弾性的に徐々に拡径され、平坦面１３ｃ１２を乗り越えて、環状凹部１３ｃ２に嵌り合うことになる。
【００３０】
環状凹部１３ｃ２は、環状凸部１３ｃ１を乗り越えた際の係合部１２ａを嵌め合わせるように形成されている。
より詳細に説明すれば、この環状凹部１３ｃ２は、底面部となっている環状の平坦面１３ｃ２１と、該平坦面１３ｃ２１よりも前方側で前方へ向かって徐々に拡径する環状の傾斜面１３ｃ２２とからなる（図２（ａ）参照）。
そして、環状凹部１３ｃ２は、前記平坦面１３ｃ２１と前記傾斜面１３ｃ２２とからなる軸方向の全長ｗ２（図３（ａ）参照）を、後軸１２の係合部１２ａの軸方向の寸法ｗ１よりも大きく設定している。この構成によれば、継手部材１３に相対して後軸１２を軸方向へ微小移動可能となる。
【００３１】
後端壁部１３ｄは、筒状の後軸１２の後端開口部を塞ぐようにして軸筒軸心に対し略直交するように設けられ、その中心部に後方へ突出するガイド棒１３ｄ１を有するとともに、該ガイド棒１３ｄ１の周囲に複数のリフィール４０をそれぞれ挿通させるガイド孔１３ｄ２を有する（図２参照）。
【００３２】
ガイド棒１３ｄ１は、断面三角形状であって軸筒軸方向へ延設された長尺棒状の部位である。
ガイド孔１３ｄ２は、ガイド棒１３ｄ１の周囲において周方向に間隔を置いて複数設けられた貫通孔である。
これらガイド棒１３ｄ１及びガイド孔１３ｄ２は、複数のリフィール４０が干渉し合うのを阻んで、各リフィール４０をスムーズに進退させる。
【００３３】
後端壁部１３ｄにおける各ガイド孔１３ｄ２周囲の後端面は、付勢部材５０の前端を受ける面として作用する。
【００３４】
また、凹部１３ｅは、継手部材１３の後端側外周面に軸方向へわたって凹設された溝である。該凹部１３ｅの後端部は、後方側から後軸１２内周面の凸部１２ｄを挿入可能なように開放されている（図３参照）。
この凹部１３ｅにおける軸筒周方向の幅ｗ３は、凸部１２ｄの軸筒周方向の幅ｗ４よりも大きく設定されている。
この凹部１３ｅは、周方向に間隔を置いて複数（図６の一例では３つ）設けられる。そして、これら複数の凹部１３ｅの何れに対しても凸部１２ｄを嵌合可能にすることで、継手部材１３に対し後軸１２を接続する際の製造性を良好にしている。
【００３５】
なお、他例としては、凹部１３ｅを凸部１２ｄの数に対応させて単数にした態様や、複数の凹部１３ｅと複数の凸部１２ｄとをそれぞれ嵌め合わせる態様等とすることも可能である。
【００３６】
スライド操作体２０は、軸筒１０の外周部に露出された状態で軸筒１０の中心線に対し略平行に進退するように、後軸１２の後端側の案内孔１２ｂに係合している。
【００３７】
また、押子３０は、軸筒１０に内在された状態で、スライド操作体２０に押圧されて前進し付勢部材５０の付勢力によって後退するように、後軸１２の後端側の案内孔１２ｂに係合している。
【００３８】
案内孔１２ｂは、後軸１２の後端側の周壁を軸筒軸方向へわたって軸筒径方向へ貫通するとともに、スライド操作体２０と押子３０に係合して、これらスライド操作体２０及び押子３０を軸方向へスライドさせるように形成される。
【００３９】
また、リフィール４０は、図示例によれば、ボールペンチップである筆記部４１と、該筆記部４１の後端側に接続されたインクタンク４２とからなるボールペン用リフィールであり、その後端側に付勢部材５０を環状に装着した状態で、後端部を押子３０前端に接続している。
このリフィール４０は、前記ボールペン用リフィールに代えてシャープペンシル用リフィールとすることが可能である。
【００４０】
付勢部材５０は、リフィール４０の後端側に環状に装着されたコイルスプリングであり、その前端側が継手部材１３に受けられるとともに、その後端部によって押子３０及びリフィール４０を後方へ付勢している。
【００４１】
次に、上記構成の筆記具Ａについて、その特徴的な作用効果を詳細に説明する。
当該筆記具Ａの製造工程において、図３（ａ）に示すように、継手部材１３の後端側に後軸１２を環状に被せ（換言すれば、後軸１２の前端側に継手部材１３の後端側を挿入し）、継手部材１３に相対して後軸１２を押圧すると、後軸１２内周面の係合部１２ａが、継手部材１３外周面における被係合部１３ｃ後端側の傾斜面１３ｃ１１（図２参照）に当接する。
【００４２】
後軸１２を前方へ更に押圧して移動させると、図３（ｂ）に示すように、係合部１２ａが、弾性的に拡径しながら被係合部１３ｃの環状凸部１３ｃ１に乗り上がり、その後、弾性的に縮径しながら同被係合部１３ｃを乗り越えて、環状凹部１３ｃ２に嵌り合う。
【００４３】
この嵌合状態においては、環状凹部１３ｃ２の軸筒軸方向の寸法ｗ２が環状凸部１３ｃ１の軸筒軸方向の寸法ｗ１よりも大きいため、後軸１２が継手部材１３に対し軸筒軸方向へ微小移動可能な状態となる。
より具体的に説明すれば、後軸１２は、継手部材１３に相対し、図４（ａ）に示す状態と図４（ｂ）に示す状態との間で進退可能である。
【００４４】
なお、図４（ａ）の状態は、係合部１２ａが環状凹部１３ｃ２内の最後端側で環状凸部１３ｃ１に接触した状態を示す。
また、図４（ｂ）の状態は、後軸１２が継手部材１３に相対して前進することで、係合部１２ａが環状凸部１３ｃ１から離れ、後軸１２内の段部１２ｅが継手部材１３の後端面に当接した状態を示す。
【００４５】
且つ、前記嵌合状態においては、図６に示すように、凹部１３ｅの軸筒周方向の寸法ｗ３が、凸部１２ｄの軸筒周方向の寸法ｗ４よりも大きいため、後軸１２が継手部材１３に対し軸筒周方向へ微小移動（微小回動）可能な状態となる。
【００４６】
次に、継手部材１３外周面のリング係止部１３ｂに対し、リング部材１５が嵌め合わせられる。この状態で、リング部材１５は、リング係止部１３ｂ内で前後に若干移動可能である。
【００４７】
そして、継手部材１３の雄螺子部１３ａに対し、前軸１１後端側内周面の雌螺子部１１ｂが螺合され、前軸１１が締め付けられることにより、前軸１１の後端部がリング部材１５に圧接され、更にリング部材１５が後軸１２の前端部に圧接されることになる。
【００４８】
したがって、前軸１１が締め付けられた状態では、図５（ｂ）に示すように、リング部材１５がリング係止部１３ｂ内に位置し、係合部１２ａが環状凹部１３ｃ２内の後端側で環状凸部１３ｃ１に当接した状態となり、この当接状態が前軸１１と後軸１２の間の圧接力により維持されて、後軸１２は前後方向へがたつかないように固定される。
更に、前軸１１と後軸１２の間の前記圧接力により、後軸１２は、継手部材１３に相対し周方向へがたつかないように固定される。
【００４９】
すなわち、上記構成の筆記具Ａによれば、前軸１１が継手部材１３に締め付けられる前は、後軸１２が継手部材１３に対し軸方向及び周方向へ微小移動可能な状態で嵌め合わせられる。そのため、後軸１２と継手部材１３との嵌合箇所である係合部１２ａ、被係合部１３ｃ、凸部１２ｄ、凹部１３ｅ等の寸法を高精度に維持する必要がなく、ひいては、前軸１１、後軸１２、及び継手部材１３の生産性を向上することができる。
【００５０】
また、上記のようにして、前軸１１、後軸１２、継手部材１３、リング部材１５が組み付けられた状態で、万が一、悪戯等により、前軸１１が継手部材１３に対し強引に締め付けられた場合には、継手部材１３が前方へ移動して、リング部材１５の後端面１５ａがリング係止部１３ｂの後端部１３ｂ１に当接するため、継手部材１３の前方への移動が阻まれる。
この状態において、前軸１１が更に強引に締め付けられた場合には、リング部材１５や前軸１１等が弾性的に変形するとともに、継手部材１３が更に前方へ移動し、該継手部材１３の前端外周縁１３ｆ（図５（ｂ）参照）が傾斜面１１ｃに摺接するため、前軸１１後端側部分の軸筒遠心方向への弾性変形が促進され、雌螺子部１１ｂと雄螺子部１３ａとの螺合状態が外される（換言すれば、雌螺子部１１ｂが雄螺子部１３ａに対し空回りする）。
そのため、前記強引な締め付けにより、後軸１２内周面の係合部１２ａが、継手部材１３外周面の環状凸部１３ｃ１を逆方向（図示の上方）へ乗り越えて、後軸１２と継手部材１３との嵌合が外れてしまうようなことを防止することができる。
【００５１】
上記実施の形態によれば、継手部材１３を後軸１２に対し微小移動可能な状態で嵌合し、その後に、前軸１１を継手部材１３に螺合するとともに後軸１２に当接させることで、前記微小移動を不能にしたが、他例としては、継手部材１３を前軸１１に対し微小移動可能な状態で嵌合し、その後に、後軸１２を継手部材１３に螺合するとともに前軸１１に当接させることで、前記微小移動を不能にした構成とすることも可能である。
【００５２】
また、上記実施の形態によれば、前軸１１と後軸１２とを、継手部材１３に環状に装着されるリング部材１５を介在して当接させる構成としたが、他例としては、前記リング部材１５を省いて、前軸１１と後軸１２とを直接当接させる構成とすることも可能である。
【００５３】
また、上記実施の形態は、特に好ましい一例として、複数のリフィール４０を有する筆記具において、前軸１１と後軸１２とを継手部材１３によって接続する構造に適用したが、他例としては、単数のリフィールを有する筆記具の前軸と後軸とを継手部材によって接続する構造に適用してもよい。
【符号の説明】
【００５４】
１０：軸筒                      １１：前軸
１１ｂ：雌螺子部                １２：後軸
１２ａ：係合部                  １３：継手部材
１３ｃ：被係合部                １３ｃ１：環状凸部
１３ｃ２：環状凹部              １５：リング部材
Ａ：筆記具
【図１】
2010173243.tif 000003
【図２】
2010173243.tif 000004
【図３】
2010173243.tif 000005
【図４】
2010173243.tif 000006
【図５】
2010173243.tif 000007
【図６】
2010173243.tif 000008